(57)【要約】【課題】単純な構造で且つ比較的小型の洗浄装置を提供することを目的とする。【解決手段】側部に吸引口たる吸引筒６が設けられると共に縁４ａにスカート部５が設けられた基体４に、吸気口７と、この吸気口７に設けられたノズル１３とを有する洗浄液供給手段１７を設け、前記吸引筒６を前記吸引手段１に接続してこの吸引手段１を動作させ、前記スカート部５を被洗浄箇所Ａに接触させることで前記基体４と被洗浄箇所Ａとの間に形成された領域Ｓに前記吸気口７から流入する速い気流Ｆによってベンチュリ効果が生じ、ポンプ等を用いることなく、前記ノズル１３から洗浄液Ｄを噴出させ、前記被洗浄箇所Ａに吹き付けた後、汚れを含んだ洗浄液Ｄを前記吸引筒６から前記吸引手段１に吸引される。このように、洗浄液Ｄを供給するためのポンプ等の動力源を有していないため、比較的単純で且つ小型の構造にすることができる。【選択図】  図３
2004313954.tif 000002
【特許請求の範囲】
【請求項１】
被洗浄箇所を覆う基体と、この基体の縁に設けられて前記被洗浄箇所に接触するスカート部と、前記基体に設けられると共に吸引手段に接続される吸引口と、前記基体と被洗浄箇所で囲まれた領域に洗浄液を供給する洗浄液供給手段とを有する洗浄装置において、前記洗浄液供給手段が、前記基体に設けられた吸気口と、この吸気口に設けられたノズルとを有することを特徴とする洗浄装置。
【請求項２】
前記吸気口に、気流の方向に対して徐々に狭くなる吸気入口部と、この吸気入口部の下流側に隣接して流通面積が最も狭くなる絞り部を設けたことを特徴とする請求項１記載の洗浄装置。
【発明の詳細な説明】
【０００１】
【発明が属する技術分野】
本発明は、洗浄液を被洗浄箇所に供給すると共に、汚れた洗浄液を吸引源によって吸引する洗浄装置に関するものである。
【０００２】
【発明が解決しようとする課題】
従来この種の洗浄装置としては、例えば以下のものが知られている。
【０００３】
【特許文献１】
特開平１０−３４０９５号公報
【０００４】
これは、内側に一定の空間を有する椀状の基体の縁部にブラシ体（スカート部）を形成し、前記基体に、吸引手段に接続される吸引ポート（吸引口）と、外部の給水手段に接続される噴射ノズル（ノズル）を形成し、給水手段によって水を噴射ノズルから被洗浄体（被洗浄箇所）に噴射させると共に、汚れた水を吸引ポートから吸引手段に吸い込むものである。なお、給水手段としては、ポンプ装置が用いられる。また、吸引手段の排気を利用して加圧された水を噴射ノズルから噴射させるものも知られている。
【０００５】
しかしながら、このような洗浄装置においては、給水系統にポンプ装置等が必要になったり、また、吸引手段の排気を給水系統に接続する必要があったりするため、大型化するばかりでなく、構造が複雑になるという問題があった。
【０００６】
本発明は以上の問題点を解決し、単純な構造で且つ比較的小型の洗浄装置を提供することを目的とする。
【０００７】
【課題を解決するための手段】
本発明の請求項１に記載の洗浄装置は、被洗浄箇所を覆う基体と、この基体の縁に設けられて前記被洗浄箇所に接触するスカート部と、前記基体に設けられると共に吸引手段に接続される吸引口と、前記基体と被洗浄箇所で囲まれた領域に洗浄液を供給する洗浄液供給手段とを有する洗浄装置において、前記洗浄液供給手段が、前記基体に設けられた吸気口と、この吸気口に設けられたノズルとを有するものである。
【０００８】
本発明は以上のように構成することにより、前記スカート部を被洗浄箇所に当接させて前記吸引手段を動作させると、前記吸気口から基体と被洗浄箇所によって囲まれた空間を経て前記吸引口から吸引手段に至る速い気流が発生することで、この気流によって前記吸気口においてベンチュリ効果が生じ、このベンチュリ効果による負圧によって前記ノズルから洗浄液が噴出し、この噴出した洗浄液が被洗浄箇所に吹き付けられると共に、汚れた洗浄液が前記気流と一緒に前記吸引口から排出される。
【０００９】
また、本発明の請求項２に記載の洗浄装置は、請求項１において、前記吸気口に、気流の方向に対して徐々に狭くなる吸気入口部と、この吸気入口部の下流側に隣接して流通面積が最も狭くなる絞り部を設けたものである。
【００１０】
本発明は以上のように構成することにより、前記吸引手段を動作させることによって発生した気流が前記吸気口の吸気入口部から絞り部にスムーズに流れる。
【００１１】
【発明の実施形態】
以下、本発明の実施形態について、図１乃至図３に基づいて説明する。１は吸引手段である。なお、この吸引手段１は公知の気液分離可能な掃除機であるので、その構造の詳細な説明を省略する。そして、前記吸引手段１の吸引ホース２の先端には、洗浄具３が着脱自在に取り付けられている。この洗浄具３を構成する基体４は略器状に形成されていると共に、この基体４の縁４ａには、合成ゴム等で形成されたスカート部５が固定されている。なお、このスカート部５は、その縁５ａが同一平面上にあるように形成されている。また、前記基体４の側部には、前記吸引手段１の吸引ホース２に接続するための吸引口たる吸引管６が一体に形成されている。更に、前記基体４の略中央には、吸気口７が形成されている。この吸気口７は、気流Ｆの方向に対して徐々に狭くなるように形成された吸気入口部８と、流通面積が最も狭くなる絞り部９と、気流Ｆの方向に対して徐々に広くなるように形成された吸気出口部１０とで形成されている。そして、前記基体４の内側には、前記吸気口７の周囲を囲むように、短筒状の壁部１１が形成されている。なお、前記壁部１１の先端１１ａには、その一部１１ｂを除いてブラシ部１２が形成されており、前記洗浄具３のスカート部５を平面状の被洗浄箇所Ａに当接させた際に、前記先端１１ａが前記被洗浄箇所Ａに近接すると共に、前記ブラシ部１２が前記被洗浄箇所Ａに接するように形成されている。更に、前記吸気口７の絞り部９には、ノズル１３が設けられている。そして、このノズル１３は、前記基体４から突出した接続管１４と連通している。更に、この接続管１４は、洗浄液供給管１５を介して洗浄液容器１６に接続されている。そして、前記ノズル１３、接続管１４、洗浄液供給管１５及び洗浄液容器１６によって、洗浄液供給手段１７が構成されている。
【００１２】
次に、本実施形態の作用について説明する。まず使用者は、前記洗浄具３の吸引管６を前記吸引手段１の吸引ホース２に接続する。また、前記洗浄液容器１６に洗浄液Ｄを入れると共に、前記洗浄液供給管１５を接続管１４に接続する。なお、前記洗浄液Ｄとして、水等の溶媒や希釈された洗剤等が用いられる。そして、前記洗浄具３を把持して前記吸引手段１を動作させると、前記基体４の縁４ａによって囲まれた開口部の外部から、この開口部、前記吸引管６、吸引ホース２を経て前記吸引手段１に流れる気流Ｆが発生する。このとき、前記基体４の開口部近傍から空気が吸引されると共に、吸引された空気を補うように、前記開口部近傍の周辺から空気が流れ込むことになるが、この空気は、その大半が、広く開放された前記基体４の開口部の正面側（図２における左側）から流れ込み、開口面積の小さい前記吸気口７を経て前記基体４の開口部の近傍へ流れ込む量が殆ど無い。即ち、この状態では、単純に前記基体４の開口部から吸引管６，吸引ホースを経て吸引手段１に気流Ｆが流れるだけである。
【００１３】
そして使用者が、スカート部５の縁５ａ全体が平坦な被洗浄箇所Ａと当接するように、前記洗浄具３を被洗浄箇所Ａに押し当てると、この被洗浄箇所Ａと前記基体４とスカート部５によって囲まれた領域Ｓは、前記吸気口７のみによって外部と連通する状態となる。このとき、前記スカート部５の縁５ａ全体と前記被洗浄箇所Ａが接していることから、前記基体４外の空気は、前記基体４の開口部から領域Ｓ内に吸引されることができず、唯一、前記吸気口７から領域Ｓ内に吸引されて気流Ｆとなり、前記壁部１１と被洗浄箇所Ａとの隙間を経て、前記吸引管６に流れることになる。なお、前記気流Ｆが前記吸気口７の吸気入口部８を経て絞り部９を通過する際、ベンチュリ効果によって流速が増加すると共に負圧が発生する。そして、前記絞り部９において負圧が発生することによって、前記洗浄液Ｄは前記ノズル１３から吸引されると共に、速い気流Ｆによって霧化する。そして、この霧化した洗浄液Ｄは、気流Ｆに乗って、前記被洗浄箇所Ａに対して比較的均等に吹き付けられる。なお、前記吸気口７の周囲が前記壁部１１によって囲まれていることによって、霧化した洗浄液Ｄが気流Ｆに乗って前記吸引管６に直接吸引されることが、ある程度防止される。このように、前記被洗浄箇所Ａに洗浄液Ｄを吹き付けることで、前記被洗浄箇所Ａの汚れが前記洗浄液Ｄに溶け出すか或いは前記洗浄液Ｄに分散する。なお、前記被洗浄箇所Ａに吹き付けられた洗浄液Ｄは、前記スカート部５の縁５ａが前記被洗浄箇所Ａに密着し、更に前記領域Ｓ内の気圧が外気圧に対して低くなっていることから、前記スカート部５の縁５ａと被洗浄箇所Ａの当接箇所から外部に漏れることがない。更に、前記スカート部５の縁５ａが被洗浄箇所Ａから離れないように、前記洗浄具３を被洗浄箇所Ａに沿って動かすことで、この被洗浄箇所Ａは前記ブラシ部１２によって擦られる。これによって、前記被洗浄箇所Ａの汚れは良好に落とされ、前記洗浄液Ｄに溶け出すか或いは前記洗浄液Ｄに分散することになる。
【００１４】
そして、前記汚れを含んだ洗浄液Ｄは、気流Ｆと共に前記吸引管６から前記吸引ホース２を経て、前記吸引手段１に吸い込まれ、この吸引手段１内で気流Ｆから分離される。なお、前記気流Ｆが前記壁部１１と被洗浄箇所Ａとの間を通過する際、前記洗浄液Ｄによって前記ブラシ１２が濡れているため、前記気流Ｆは、比較的通過し難い、濡れた前記ブラシ１２が形成された前記壁部１１の先端１１ａと前記被洗浄箇所Ａとの間を殆ど通過せずに、比較的通過し易い、前記ブラシ１２が形成されていない前記壁部１１の先端の一部１１ｂと前記被洗浄箇所Ａの間を大部分が通過することになる。このとき、前記気流Ｆは、前記壁部１１の先端の一部１１ｂと前記被洗浄箇所Ａと前記ブラシ１２によって囲まれた比較的狭い箇所を通過するため、この箇所においてもベンチュリ効果が生じ、前記被洗浄箇所Ａ上の洗浄液Ｄを霧化して吸引することが期待できる。そして、このように吹き付けられた洗浄液Ｄが、前記スカート部５によって前記被洗浄箇所Ａから掻き取られ、また前記被洗浄箇所Ａから霧化した後に、前記吸引管６から吸引されることによって、前記洗浄具３が通過した後の被洗浄箇所Ａは、前記洗浄液Ｄがほぼ除去された状態となる。
【００１５】
そして、前記洗浄具３を被洗浄箇所Ａから離すと、前記基体４の縁４ａによって囲まれた開口部が開放されるため、気流Ｆは前記吸気口７ではなく、前記基体４の開口部から吸引されることになる。この結果、前記吸気口７を通過する気流Ｆの流量が激減し、前記ノズル１３から洗浄液Ｄが吸引されなくなることで、この洗浄液Ｄの噴霧が停止する。
【００１６】
以上のように本発明は、側部に吸引口たる吸引筒６が設けられると共に縁４ａにスカート部５が設けられた基体４に、吸気口７と、この吸気口７に設けられたノズル１３とを有する洗浄液供給手段１７を設け、前記吸引筒６を前記吸引手段１に接続してこの吸引手段１を動作させ、前記スカート部５を被洗浄箇所Ａに接触させることで前記基体４と被洗浄箇所Ａとの間に形成された領域Ｓに前記吸気口７から流入する速い気流Ｆによってベンチュリ効果が生じ、ポンプ等を用いることなく、前記ノズル１３から洗浄液Ｄを噴出させ、前記被洗浄箇所Ａに吹き付けた後、汚れを含んだ洗浄液Ｄを前記吸引筒６から前記吸引手段１に吸引するものである。
【００１７】
また本発明は、前記吸気口７に、気流の方向に対して徐々に狭くなる吸気入口部８と、この吸気入口部の下流側に隣接して流通面積の最も狭くなった絞り部９を設けたものであり、前記吸気口７から吸引される気流が吸気入口部８から絞り部９にスムーズに流れることで、洗浄液Ｄが前記ノズル１３から効率的に噴出するものである。
【００１８】
なお、本発明は以上の実施形態に限定されるものではなく、発明の要旨の範囲内で種々の変形が可能である。例えば、前述した実施形態において、前記ノズルは基体に対して取り付けられているが、前記ノズルを前記基体と一体に形成しても良い。また、前記ノズルを前記吸気口に対して複数設けても良く、前記吸気口を基体に対して複数設けても良い。更に、前記絞り部の絞り量を調整できるようにしても良い。
【００１９】
【発明の効果】
本発明の請求項１に記載の洗浄装置は、被洗浄箇所を覆う基体と、この基体の縁に設けられて前記被洗浄箇所に接触するスカート部と、前記基体に設けられると共に吸引手段に接続される吸引口と、前記基体と被洗浄箇所で囲まれた領域に洗浄液を供給する洗浄液供給手段とを有する洗浄装置において、前記洗浄液供給手段が、前記基体に設けられた吸気口と、この吸気口に設けられたノズルとを有するものであり、前記スカート部を被洗浄箇所に当接させて前記吸引手段を動作させると、前記吸気口から基体と被洗浄箇所によって囲まれた空間を経て前記吸引口から吸引手段に至る速い気流が発生することで、この気流によって前記吸気口においてベンチュリ効果が生じ、このベンチュリ効果による負圧によって前記ノズルから洗浄液が噴出し、この噴出した洗浄液が被洗浄箇所に吹き付けられると共に、汚れた洗浄液が前記気流と一緒に前記吸引口から排出されるので、洗浄液を供給するためのポンプ等の動力源が不要となり、比較的単純で且つ小型の構造にすることができる。
【００２０】
また、本発明の請求項２に記載の洗浄装置は、請求項１において、前記吸気口に、気流の方向に対して徐々に狭くなる吸気入口部と、この吸気入口部の下流側に隣接して流通面積が最も狭くなる絞り部を設けたものであり、前記吸引手段を動作させることによって発生した気流が前記吸気口の吸気入口部から絞り部にスムーズに流れるので、洗浄液を前記ノズルから効率的に噴出させることができる。
【図面の簡単な説明】
【図１】本発明の一実施形態を示す洗浄装置の断面図である。
【図２】同上、被洗浄箇所から離した状態における要部の拡大断面図である。
【図３】同上、被洗浄箇所に当接した状態における要部の拡大断面図である。
【符号の説明】
１  吸引手段
４  基体
４ａ  縁
５  スカート部
６  吸引管（吸引口）
７  吸気口
８  吸気入口部
９  絞り部
１３  ノズル
１７  洗浄液供給手段
Ａ  被洗浄箇所
Ｄ  洗浄液
Ｓ  囲まれた領域
【図１】
2004313954.tif 000003
【図２】
2004313954.tif 000004
【図３】
2004313954.tif 000005